(57)【要約】      （修正有）【課題】環境保全、省エネ攪拌を目的とする場所の容積や範囲に応じ、デザインに合った立体を回転、平行、上下等の運動を与える事により発生する穏やかな攪拌と複数の乱流を利用し、その乱流効果を生かしたものである省エネ型攪拌対流装置を提供する。【解決手段】電源制御装置１、動力２、シャフト３、乱流発生立体４−１、４−２、水槽固定器具５から構成され、立体の形、大きさ、運動速度、デザインは個々の環境に応じて構成する。電源制御装置からの所定電流電圧により動力の回転を制御し、動力軸からシャフトを介し、乱流発生立体を駆動させる。省エネ型攪拌対流装置の対流能力は流体の流速ではなく流量に依存する。水環境使用においては大気と接触する表層水と底部の対流を積極的に促し、溶存酸素率の高い水の供給と攪拌を行う事ができる。【選択図】図１
2013027856.tif 000002
【特許請求の範囲】
【請求項１】
単一および複数の立体物を流体（液体、気体）中において駆動装置で低速運動させることにより、穏やかな攪拌と複数の乱流効果を伴う対流を提供する省エネ型攪拌対流装置。
【発明の詳細な説明】
【技術分野】
【０００１】本発明は、単一および複数の立体物の低速運動によって流体を穏やかな攪拌と複数の乱流を伴う対流を発生させることにより、水質改善と曝気効果を伴う省エネ型攪拌対流装置
【背景技術】
【０００２】水槽、湖沼等の水質改善のためプロペラ型、ジェット型、櫂型、等による攪拌対流装置や、エアレーションと対流を目的とした装置等があり、それぞれに得失がある。この種撹拌、対流装置における従来の方法は、流れを一方向に集中させるものであった（層流的）。水槽水、湖沼水等に酸素を供給する目的のエアレーションにより附随的に発生する攪拌、対流効果を用いたものがある。また、住空間、温室等の場所による温度差等を均一にするための空気の攪拌にはプロペラ型、シロッコファン型等の流れを一方向に集中させる（層流的）翼型攪拌装置がある。
【発明の開示】
【発明が解決しようとする課題】
【０００３】従来の撹拌、対流装置では一方送流構成のため、動力エネルギーの損失、広域への効果を流速に依存しなければならなかった。これは環境の変化が著しく、湖沼底部の泥の巻上げや、流れを好まない生物（鮒、鯉、金魚等）に与える影響は極めて大きい。また、水槽水、湖沼水等に酸素を供給するエアレーション装置は動力に大きなエネルギーを必要とする反面、水槽や湖沼近くのポンプの騒音、振動、酸素供給能力（溶解率の低さ等）の問題がある。エアレーションによって僅かな攪拌、対流効果が大気と接触する表層水の対流を促し、溶存酸素率を上げている等、それぞれに得失がある。また、住空間等における大気中では、一方向に集中させる（層流的）攪拌翼は効率の低さ、送風、騒音等の影響がある。本発明は、環境保全、省エネ攪拌を目的とする場所の容積や範囲に応じ、デザインに合った立体を回転、平行、上下等の運動を与える事により発生する穏やかな攪拌と複数の乱流を利用したものである。乱流は層流に比して熱や物質を搬送し拡散する効果が非常に強い特性があり、本装置はその乱流効果を生かしたものである。よって水環境使用においては大気と接触する表層水と底部の対流を積極的に促し、溶存酸素率の高い水の供給と攪拌を行う事ができる。（曝気効果）このような省エネ型攪拌対流装置を提供する事にある。
【課題を解決するための手段】
【０００４】上記目的を達成するために本発明の省エネ型攪拌対流装置においては、単一および複数の立体物を動力と電源制御装置、またはソーラーパネル等により、乱流の特性を活用し、安定的に省エネで流体の攪拌、対流を発生するようにしたものである。
【特許文献１】特許第３９８０５５７  「液流発生装置」参照
【発明の効果】
【０００５】本発明は運転コストが低く、効率的且つ穏やかな流体の攪拌、対流効果が得られ、低騒音、低振動、構造がシンプルであり、故障率の低減、メンテナンスの容易さがある。家庭用観賞用水槽から、各種養殖場、池、湖沼、排水施設等、また、室内オブジェ、住空間、温室、ホール等幅広く活用が可能である。
【発明を実施するための最良の形態】
【実施例】
【０００６】以下、本発明を図面に示す実施例（観賞用水槽）について説明する。
先ず、省エネ型攪拌対流装置の構成を図面１を用いて以下に説明する。
本装置は▲１▼電源制御装置  ▲２▼動力  ▲３▼シャフト  ▲４▼乱流発生立体▲４▼−１、▲４▼−２  ▲５▼水槽固定器具から構成され、立体の形、大きさ、運動速度、デザインは個々の環境に応じて構成する。▲１▼電源制御装置からの所定電流電圧により  ▲２▼の動力の回転を制御し、動力軸から  ▲３▼シャフトを介し、▲４▼乱流発生立体▲４▼−１、▲４▼−２を駆動させる。結果、流体の攪拌、対流が発生する。【０００７】以上の構成において、次に水槽水及び水面上部空気層の対流を図面２を用いて以下に説明する。水槽内の任意の場所に設置された▲４▼乱流発生立体▲４▼−１、▲４▼−２が回転する事により、水槽横面からの見かけの水流及び水面上の空気の流れは図２面の矢印線の示すとおりとなる。▲４▼−１により、空気層と水面の接触を積極的に行うことができる。別途用途として、液体の蒸発、発散にも応用できる。また、低速回転とは、静止ではなく駆動している領域から２５０回転／分までを言う。本装置の対流能力は流体の流速ではなく流量に依存する。この対流サイクルは本装置の規模、デザイン、運動速度によって任意にコントロールする事が出来る。【０００８】湖沼等深度のある環境においての使用例は図面３を用いて以下に説明する。１組の乱流発生立体の縦方向における対流範囲には限界があり、図面３で示すとおり複数の乱流発生立体▲４▼−２，▲４▼−３を設置することにより、その上下の対流は交差する。これにより、さらに深度のある箇所にも対応可能であり、水温躍層の制御も可能となる。
【図面の簡単な説明】
【図１】省エネ型攪拌対流装置の要部説明図である。
【符号の説明】▲１▼…電源制御装置、▲２▼…動力、▲３▼…シャフト、▲４▼−１、▲４▼−２…乱流発生立体、▲５▼…水槽固定器具、
【図１】
2013027856.tif 000003
【図２】
2013027856.tif 000004
【図３】
2013027856.tif 000005
【手続補正書】
【提出日】平成23年10月3日(2011.10.3)
【手続補正１】
【補正対象書類名】明細書
【補正対象項目名】全文
【補正方法】変更
【補正の内容】
【発明の詳細な説明】
【技術分野】
【０００１】本発明は、単一および複数の立体物の低速運動によって流体を穏やかな攪拌と複数の乱流を伴う対流を発生させることにより、水質改善と曝気効果を伴う省エネ型攪拌対流装置
【背景技術】
【０００２】水槽、湖沼等の水質改善のためプロペラ型、ジェット型、櫂型、等による攪拌対流装置や、エアレーションと対流を目的とした装置等があり、それぞれに得失がある。この種撹拌、対流装置における従来の方法は、流れを一方向に集中させるものであった（層流的）。水槽水、湖沼水等に酸素を供給する目的のエアレーションにより附随的に発生する攪拌、対流効果を用いたものがある。また、住空間、温室等の場所による温度差等を均一にするための空気の攪拌にはプロペラ型、シロッコファン型等の流れを一方向に集中させる（層流的）翼型攪拌装置がある。
【発明の開示】
【発明が解決しようとする課題】
【０００３】従来の撹拌、対流装置では一方送流構成のため、動力エネルギーの損失、広域への効果を流速に依存しなければならなかった。これは環境の変化が著しく、湖沼底部の泥の巻上げや、流れを好まない生物（鮒、鯉、金魚等）に与える影響は極めて大きい。また、水槽水、湖沼水等に酸素を供給するエアレーション装置は動力に大きなエネルギーを必要とする反面、水槽や湖沼近くのポンプの騒音、振動、酸素供給能力（溶解率の低さ等）の問題がある。エアレーションによって僅かな攪拌、対流効果が大気と接触する表層水の対流を促し、溶存酸素率を上げている等、それぞれに得失がある。また、住空間等における大気中では、一方向に集中させる（層流的）攪拌翼は効率の低さ、送風、騒音等の影響がある。本発明は、環境保全、省エネ攪拌を目的とする場所の容積や範囲に応じ、デザインに合った立体を回転、平行、上下等の運動を与える事により発生する穏やかな攪拌と複数の乱流を利用したものである。乱流は層流に比して熱や物質を搬送し拡散する効果が非常に強い特性があり、本装置はその乱流効果を生かしたものである。よって水環境使用においては大気と接触する表層水と底部の対流を積極的に促し、溶存酸素率の高い水の供給と攪拌を行う事ができる。（曝気効果）このような省エネ型攪拌対流装置を提供する事にある。
【課題を解決するための手段】
【０００４】上記目的を達成するために本発明の省エネ型攪拌対流装置においては、単一および複数の立体物を動力と電源制御装置、またはソーラーパネル等により、乱流の特性を活用し、安定的に省エネで流体の攪拌、対流を発生するようにしたものである。
【特許文献１】  特許第３９８０５５７  「液流発生装置」参照
【発明の効果】
【０００５】本発明は運転コストが低く、効率的且つ穏やかな流体の攪拌、対流効果が得られ、低騒音、低振動、構造がシンプルであり、故障率の低減、メンテナンスの容易さがある。家庭用観賞用水槽から、各種養殖場、池、湖沼、排水施設等、また、室内オブジェ、住空間、温室、ホール等幅広く活用が可能である。
【発明を実施するための最良の形態】
【実施例】
【０００６】以下、本発明を図面に示す実施例（観賞用水槽）について説明する。
先ず、省エネ型攪拌対流装置の構成を図面１を用いて以下に説明する。
本装置は▲１▼電源制御装置  ▲２▼動力  ▲３▼シャフト  ▲４▼乱流発生立体▲４▼−１、▲４▼−２  ▲５▼水槽固定器具から構成され、立体の形、大きさ、運動速度、デザインは個々の環境に応じて構成する。▲１▼電源制御装置からの所定電流電圧により  ▲２▼の動力の回転を制御し、動力軸から  ▲３▼シャフトを介し、▲４▼乱流発生立体▲４▼−１、▲４▼−２を駆動させる。結果、流体の攪拌、対流が発生する。【０００７】以上の構成において、次に水槽水及び水面上部空気層の対流を図面２を用いて以下に説明する。水槽内の任意の場所に設置された▲４▼乱流発生立体▲４▼−１、▲４▼−２が回転する事により、水槽横面からの見かけの水流及び水面上の空気の流れは図２面の矢印線の示すとおりとなる。▲４▼−１により、空気層と水面の接触を積極的に行うことができる。別途用途として、液体の蒸発、発散にも応用できる。また、低速回転とは、静止ではなく駆動している領域から２５０回転／分までを言う。本装置の対流能力は流体の流速ではなく流量に依存する。この対流サイクルは本装置の規模、デザイン、運動速度によって任意にコントロールする事が出来る。【０００８】湖沼等深度のある環境においての使用例は図面３を用いて以下に説明する。１組の乱流発生立体の縦方向における対流範囲には限界があり、図面３で示すとおり複数の乱流発生立体▲４▼−２，▲４▼−３を設置することにより、その上下の対流は交差する。これにより、さらに深度のある箇所にも対応可能であり、水温躍層の制御も可能となる。
【図面の簡単な説明】
【０００９】
【図１】  省エネ型攪拌対流装置の要部説明図である。
【図２】  省エネ型攪拌対流装置の要部説明図である。
【図３】  省エネ型攪拌対流装置の要部説明図である。
【符号の説明】
【００１０】▲１▼…電源制御装置、▲２▼…動力、▲３▼…シャフト、▲４▼−１、▲４▼−２、▲４▼−３…乱流発生立体、▲５▼…水槽固定器具、